(57)【特許請求の範囲】
【請求項１】
液透過性のトップシートと、液不透過性のバックシートと、これらトップシートとバックシートとの間に配置される吸収体とを有するおむつであって、
このおむつの前身頃から股下領域を通って後身頃にかけて延在するように前記トップシートの上に配置され、かつその長手方向両端部のみが前記トップシートまたはバックシートに接合されてその長手方向両端部以外の部分と前記トップシートとの間に空隙を形成するスキンコンタクトシートと、
おむつの股下領域となる前記スキンコンタクトシートの部分に形成されて便を前記空隙に導くための開口部と、
この開口部を囲むように前記スキンコンタクトシートに伸長状態で接合される伸縮可能な弾性部材と
を具えたことを特徴とするおむつ。
【請求項２】
少なくとも４本の前記弾性部材がおむつの前身頃から後身頃にかけて延在し、前記開口部の近傍をそれぞれ通過することを特徴とする請求項１記載のおむつ。
【請求項３】
２本１組の前記弾性部材が２組、前記開口部を囲んで交差するように前記スキンコンタクトシートにたすき掛け状態で配置されていることを特徴とする請求項２に記載のおむつ。
【請求項４】
少なくとも２本の前記弾性部材がおむつの前身頃の一方の側縁部から前記開口部を挟むように前記股下領域を通って後身頃の一方の側縁部にかけて延在すると共に少なくとも２本の前記弾性部材がおむつの前身頃の他方の側縁部から前記開口部を挟むように前記股下領域を通って後身頃の他方の側縁部にかけて延在することを特徴とする請求項１または請求項２に記載のおむつ。
【請求項５】
少なくとも２本の前記弾性部材がおむつの前身頃の一方の側縁部から前記開口部を挟むように前記股下領域を通って前身頃の他方の側縁部にかけて延在すると共に少なくとも２本の前記弾性部材がおむつの後身頃の一方の側縁部から前記開口部を挟むように前記股下領域を通って後身頃の他方の側縁部にかけて延在することを特徴とする請求項１または請求項２に記載のおむつ。
【請求項６】
前記弾性部材は、前記開口部の対向方向にほぼ均等に張力が作用するように配置されていることを特徴とする請求項１から請求項５の何れかに記載のおむつ。
【請求項７】
おむつの前身頃領域となる前記スキンコンタクトシートの幅方向中央部に切欠部を形成したことを特徴とする請求項１から請求項６の何れかに記載のおむつ。
【請求項８】
前記スキンコンタクトシートが液不透過性であることを特徴とする請求項７に記載のおむつ。
【請求項９】
おむつの前身頃領域となる前記スキンコンタクトシートの部分に第２の吸収体を配置したことを特徴とする請求項１から請求項６の何れかに記載のおむつ。
【請求項１０】
前記第２の吸収体は、高分子吸収部材とミクロフィブリルセルロースとの混合物を含み、前記スキンコンタクトシートに塗工形成されることを特徴とする請求項９に記載のおむつ。
【発明の詳細な説明】
【０００１】
【発明の属する技術分野】
本発明は、着用者の臀部に便が直接付着しないように配慮して臀部のスキントラブルの減少を企図したおむつに関する。
【０００２】
【従来の技術】
おむつかぶれの原因および発症機構に関し、皮膚臨床３０の第９４９ページ〜第９５６ページ（１９９８年）に記載された山本一哉氏の「いわゆるおむつかぶれ」によると、▲１▼尿と便とが混ざるとアンモニアが発生し、▲２▼このアンモニアが環境をアルカリ性にし、▲３▼便中の酵素がアルカリ性雰囲気で強く活性化し、▲４▼この酵素およびアンモニアによって皮膚の弱った部分が炎症を起こし、おむつかぶれが発生することを述べている。皮膚の弱った部分が作り出される原因として、皮膚と接触するおむつ構成材料の肌触りなどの機械的刺激や、おむつ内の湿度が高いために皮膚がふやけた状態となるようなおむつ内側の環境なども指摘されている。
【０００３】
上述したようなおむつかぶれの原因に対し、高分子吸収部材の技術進歩に伴う性能向上によって、例えば排尿後にこれを速やかに吸収してその浸透拡散を少なくすることで、排便があった場合でもこれと混ざりにくくすることが可能となっている。また、おむつ内側の環境に関しては、例えば通気性シートをおむつに使用することによって、おむつ内の蒸れ対策が可能となり、皮膚をふやけさせない効果をあげている。おむつかぶれに対する対策がこのように進んできたため、いわゆる使い捨ておむつなどの使用によって発生していたかぶれなどのスキントラブルも減少している。
【０００４】
しかしながら、尿と便とがほぼ同時に排泄された場合や、軟便に対するかぶれ防止については、まだ対策が十分ではなかった。軟便の場合、尿と混ざらなくてもこれを放置すれば、皮膚への負担が大きくなる。軟便は、皮膚に当接するおむつのトップシートをほとんど通過しないので、水分の一部が吸収体に移行する以外、トップシートに残って着用者の臀部に付着することとなる。このため、皮膚にトラブルが発生しないとしても、おむつ替えの際に臀部に対する払拭作業が煩雑になる。
【０００５】
このように、便と尿とが混ざり合ったり、便が臀部に付着するのを防止するため、例えば特開昭６１−４１３０４号公報，実開平６−５６１４号公報，実開平６−２１６２３号公報，実開平６−１１７２３号公報にて尿と便とを分離できるおむつが提案されている。
【０００６】
特開昭６１−４１３０４号公報に開示されたおむつは、トップシートの中央に長さ方向に長い開口部を設け、その開口部の周縁部に沿って弾性部材を取り付けることにより、トップシートにいわゆるコシを持たせて開口部が塞がれないように配慮したものである。また、実開平６−５６１４号公報に開示されたおむつは、表面シートに設けた開口部の下に延在する凹部と、この開口部の周囲から中央部に表面シートを延在させてなる弁部とを設け、開口部によって分離される便が逆戻りしないように配慮したものである。実開平６−２１６２３号公報に開示されたおむつは、長さ方向および幅方向に延在する２組のフラップを重ね、これらの中央に開口を形成することにより、便を収納する開口部の面積を広く設定できるようにしたものである。さらに、実開平６−１１７２３号公報に開示されたおむつは、第１の表面シートの上に第２の表面シートを設け、この第２の表面シートの長手方向中央部に設けた開口部を横方向に拡開させる複数の弾性部材をさらに設けたものである。
【０００７】
【発明が解決しようとする課題】
特開昭６１−４１３０４号公報および実開平６−５６１４号公報に開示されたおむつの場合、これを実際に着用した様子を観察すると、おむつの股下領域が着用者の両脚の太股によってその中央側に寄せられ、肌に密着せずに下方に垂れ下がったような状態となることが判明した。すなわち、これらのおむつはトップシートまたは表面シート（以下、これらをトップシートと総称する）の股下領域が着用者の股下に密着していないので、トップシートに設けられた開口部が意味をなさず、便がトップシートの上に広がってしまう不具合が生ずる。仮に、トップシートの開口部の位置と着用者の肛門の位置とが合致していたとしても、トップシートが着用者の股下に密着していないので、開口部が塞がった状態となり、開口部を介して便をトップシートとバックシートとの間に導くことができないことが予想される。
【０００８】
また、実開平６−１１７２３号公報に開示されたおむつの場合、開口部が幅方向にのみ拡開されているだけであり、着用者の股下によって開口部が潰されてしまい、先の従来例と同様に、開口部の機能を充分に発揮させることが基本的にできない。
【０００９】
さらに、実開平６−２１６２３号公報に開示されたおむつの場合、第２の表面シートに形成される開口部の面積を広く取ることによって、この開口部の位置を着用者の肛門の位置にほぼ確実に合致させることができるものの、逆に開口部の開口面積が大きすぎるため、この開口部を介して第２の表面シートと第１の表面シートとの間に導かれた便が再び開口部から第２の表面シートの上に戻ってしまい、着用者の臀部を汚してしまう可能性が高かった。
【００１０】
【発明の目的】
本発明の目的は、トップシートに便を分離するための開口部を設け、おむつかぶれなどのスキントラブルの減少を企図したおむつの機能を充分に発揮させることができる改良したおむつを提供することにある。
【００１１】
【課題を解決するための手段】
本発明によるおむつは、液透過性のトップシートと、液不透過性のバックシートと、これらトップシートとバックシートとの間に配置される吸収体とを有するおむつであって、このおむつの前身頃から股下領域を通って後身頃にかけて延在するように前記トップシートの上に配置され、かつその長手方向両端部のみが前記トップシートまたはバックシートに接合されてその長手方向両端部以外の部分と前記トップシートとの間に空隙を形成するスキンコンタクトシートと、おむつの股下領域となる前記スキンコンタクトシートの部分に形成されて便を前記空隙に導くための開口部と、この開口部を囲むように前記スキンコンタクトシートに伸長状態で接合される伸縮可能な弾性部材とを具えたことを特徴とするものである。
【００１２】
本発明によると、おむつを着用した状態において、スキンコンタクトシートに伸長状態で接合された弾性部材の収縮力により、スキンコンタクトシートが着用者に密着状態で当接する。コンタクトシートに形成された開口部は、その周囲を伸長状態の弾性部材で囲まれ、拡径されるような張力が作用しており、ここから便がスキンコンタクトシートとトップシートとの間に形成される空隙を介してトップシート上に導かれる。
【００１３】
本発明によるおむつにおいて、少なくとも４本の弾性部材をおむつの前身頃から後身頃にかけて延在させ、開口部の近傍をそれぞれ通過させるようにしてもよい。この場合、２本１組の弾性部材を２組、開口部を囲んで交差するようにスキンコンタクトシートにたすき掛け状態で配置することも可能である。
【００１４】
また、少なくとも２本の弾性部材がおむつの前身頃の一方の側縁部から開口部を挟むように股下領域を通って後身頃の一方の側縁部にかけて延在すると共に少なくとも２本の弾性部材がおむつの前身頃の他方の側縁部から開口部を挟むように股下領域を通って後身頃の他方の側縁部にかけて延在するようにしてもよい。
【００１５】
あるいは、少なくとも２本の弾性部材がおむつの前身頃の一方の側縁部から開口部を挟むように股下領域を通って前身頃の他方の側縁部にかけて延在すると共に少なくとも２本の弾性部材がおむつの後身頃の一方の側縁部から前記開口部を挟むように股下領域を通って後身頃の他方の側縁部にかけて延在するようにしてもよい。
【００１６】
さらに、弾性部材を開口部の対向方向にほぼ均等に張力が作用するように配置することが好ましく、これにより開口部の開口端に沿ってほぼ均等な変形をもたらし、形状が安定した広い開口部が形成される。
【００１７】
また、おむつの前身頃領域となるスキンコンタクトシートの幅方向中央部に切欠部を形成するようにしてもよい。この場合、スキンコンタクトシートを液不透過性にすることが有効である。
【００１８】
さらに、おむつの前身頃領域となるスキンコンタクトシートの部分に第２の吸収体を配置してもよい。この場合、第２の吸収体は、高分子吸収部材とミクロフィブリルセルロースとの混合物を含み、スキンコンタクトシートに塗工形成されるものであってよい。
【００１９】
【発明の実施の形態】
本発明によるおむつをパンツ型おむつに応用した実施形態について、図１〜図１２を参照しながら詳細に説明するが、本発明はこのような実施形態に限らず、これらをさらに組み合わせたり、この明細書の特許請求の範囲に記載された本発明の概念に包含されるべき他の技術にも応用することができる。
【００２０】
本実施例によるおむつの外観を図１に示し、その展開形状を図２に示し、そのIII−III矢視断面構造を図３に示し、実施例におけるおむつの前身頃から後身頃に至る中央断面形状を図４に示す。すなわち、本実施例におけるおむつ１０は、全体としてパンツ型をなす液透過性のトップシート１１と、このトップシート１１が重ね合わされる液不透過性のバックシート１２と、これらトップシート１１とバックシート１２との間に配置されておむつ１０の前身頃１０Ｆから後身頃１０Ｒに亙って延在するほぼ砂時計型のシート状をなす吸収体１３と、おむつ１０のウエスト周り開口部１４に沿って伸長状態でトップシート１１とバックシート１２との間に保持される伸縮可能な複数本のウエスト周り弾性部材１５と、おむつ１０の脚周り開口部１６に沿って伸長状態でトップシート１１とバックシート１２との間に保持される伸縮可能な複数本の脚周り弾性部材１７と、トップシート１１上に配置されておむつ１０の前身頃１０Ｆから後身頃１０Ｒに亙って延在し、その長手方向両端部１８Ｅがトップシート１１に接合されるスキンコンタクトシート１８と、このスキンコンタクトシート１８のおむつ１０の前身頃領域となる部分の幅方向中央部に形成されたほぼＶ字またはＵ字状をなす切欠部１９と、スキンコンタクトシート１８の中央部のおむつ１０の股下領域となる部分に形成された開口部２０と、この開口部２０を囲むようにスキンコンタクトシート１８の長手方向に沿ってそれぞれ伸長状態で接合された４本２組の伸縮可能な弾性部材２１ａ，２１ｂ, ２２ａ，２２ｂとを具えている。
【００２１】
本実施例におけるスキンコンタクトシート１８は、相互に重ね合わされるアッパーシート１８Ｕとライナーシート１８Ｌとからなり、上述した２組の弾性部材２１ａ，２１ｂ, ２２ａ，２２ｂは、これらアッパーシート１８Ｕとライナーシート１８Ｌとの間に挟持される。一方の組の弾性部材２１ａ，２１ｂは、前身頃領域の幅方向一端側から開口部２０を挟むように股下領域を通り、後身頃領域の幅方向他端側へと延在し、他方の組の弾性部材２２ａ，２２ｂは、前身頃領域の幅方向他端側から開口部２０を挟むように股下領域を通り、後身頃領域の幅方向一端側へと延在している。つまり、２組の弾性部材２１ａ，２１ｂ, ２２ａ，２２ｂは開口部２０を挟んで相互に交差するようにスキンコンタクトシート１８に対してたすき掛けの状態で配設されており、開口部２０の周囲はこれら２組の弾性部材２１ａ，２１ｂ, ２２ａ，２２ｂで囲まれた状態となっている。
【００２２】
前記トップシート１１としては、ポリエチレン，ポリプロピレン，ポリエステル，その他の熱可塑性樹脂を原料とした合成繊維などからなる液透過性の不織布を用いることが好ましい。
【００２３】
また、いわゆるおむつカバーを構成するバックシート１２は、液不透過性のシートを単独で使用することも可能であるが、複数の不織布を積層したものを用いることも可能である。この液不透過性のシートとしては、液体不透過性のポリエチレンシート、好ましくは通気性のための微孔を設けたポリエチレンシートや、熱可塑性樹脂にフィラーを加えて延伸したシートの如き透湿性のある液体不透過性シートを用いることが好ましく、このような透湿性を付与することによって蒸れの心配をなくすることができ、より快適である。さらに、このバックシート１２の表面に手触りをよくするため、ポリエチレン，ポリプロピレン，ポリエステルなどの熱可塑性樹脂を原料とした合成繊維からなる不織布を貼り付けるようにしてもよい。この場合、不織布が液不透過性であってもよいし液透過性であってもよい。
【００２４】
吸収体１３は、木材パルプや非木材パルプを綿状にしたフラッフパルプを主材としたものに高分子吸収部材（ＳＡＰ）を併用したものが好ましく、その他、吸収紙単独、または熱融着繊維などの混合物や積層物が用いられる。また、ＳＡＰの飛び出し防止のために全体をティシュ２３で包み込んだ積層構造とすることが好ましい。
【００２５】
ウエスト周り開口部１４および脚周り開口部１６に配置される弾性部材１５，１７は、天然ゴム製の平ゴムやウレタン糸，糸ゴムなどの通常の使いすておむつに使用される伸縮可能な弾性部材が用いられ、ホットメルト接着剤などを用いて接着固定される。
【００２６】
スキンコンタクトシート１８としては、ポリエチレン，ポリプロピレン，ポリエステル，その他の熱可塑性樹脂を原料とした合成繊維などからなる不織布，メッシュシート，フィルムが用いられる。この場合、前身頃領域を液透過性の不織布またはフィルムとし、股下領域および後身頃領域を液不透過性の不織布，メッシュシート，フィルムとしてもよい。
【００２７】
弾性部材２１ａ，２１ｂ, ２２ａ，２２ｂは、天然ゴム製のリボン状の平ゴム，ウレタン糸，糸ゴム，伸縮性のネット，伸縮性フィルムなど、通常の使いすておむつで使用される伸縮可能な弾性部材をそのまま使用することができ、任意の幅寸法を有し、任意の伸長倍率でスキンコンタクトシート１８にホットメルトやヒートシールなどによって接合される。本実施例では、各弾性部材２１ａ，２１ｂ, ２２ａ，２２ｂをそれぞれ１本ずつ使用したが、必要に応じてそれぞれ複数本で構成するようにしてもよい。
【００２８】
開口部２０は任意の形状を採用することができ、例えば円形，楕円形，２本以上の切れ込みを交差して形成した星型のスリットなど、適宜選択可能である。
【００２９】
上述したように、スキンコンタクトシートに接合される少なくとも４本の弾性部材２１ａ，２１ｂ, ２２ａ，２２ｂがおむつ１０の前身頃１０Ｆから後身頃１０Ｒにかけて延在しているため、スキンコンタクトシート１８はトップシート１１の内側に吊り下げられた構造となり、着用時にこれら弾性部材２１ａ，２１ｂ, ２２ａ，２２ｂが引き延ばされ、スキンコンタクトシート１８が着用者の肌に密着状態で当接すると共にトップシート１１とスキンコンタクトシート１８との間に空隙２４が形成され、ここに開口部２０を通して便が導かれるようになっている。このため、スキンコンタクトシート１８の開口部２０が弾性部材２１ａ，２１ｂ, ２２ａ，２２ｂの弾性力によって塞がってしまわないようにすることが必要である。
【００３０】
本実施例においては、着用時に弾性部材２１ａ，２１ｂ, ２２ａ，２２ｂによって縮められた状態のスキンコンタクトシート１８が図２に示すような展開状態に引っ張られ、股下領域の中央部が開口部２０を取り囲んで直線状に引っ張られる４本の弾性部材２１ａ，２１ｂ, ２２ａ，２２ｂにより菱形に変形するが、この変形が開口部２０の周囲にほぼ均等に働き、菱形の部分に開口部２０が塞がることなく保持される。また、弾性部材２１ａ，２１ｂ, ２２ａ，２２ｂがスキンコンタクトシート１８の幅方向外側縁部に配置されているため、スキンコンタクトシート１８が着用者の皮膚に当接してその位置ずれを防止できる上、万が一、便がスキンコンタクトシート１８の開口部２０からトップシート１１上に導かれず、スキンコンタクトシート１８と着用者の臀部との間に残留した場合でも、スキンコンタクトシート１８の幅方向外側縁部からの漏れを防止するギャザーとして機能させることができる。
【００３１】
なお、着用者の尿は、スキンコンタクトシート１８の切欠部１９によってスキンコンタクトシート１８を介することなく、トップシート１１から吸収体１３内に迅速に吸収される。また、上述した実施例ではパンツ型のおむつ１０について説明したが、本発明はおむつ１０の前身頃１０Ｆの左右両側と後身頃１０Ｒの左右両側とを重ね合わせてテープで止めるようにした展開型のおむつにも応用することができる。
【００３２】
さらに、スキンコンタクトシート１８に対する弾性部材２１ａ，２１ｂ, ２２ａ，２２ｂの接合パターンとして、上述したたすき掛けのパターンに限らず、図５〜図８に示すようなパターンを採用することも可能であり、このような本発明の他の実施例を以下に列挙するが、上述した実施例と同一機能の部材にはこれと同一符号を記すに止め、重複する説明は省略するものとする。
【００３３】
すなわち、図５〜図８に示した実施例は、何れもスキンコンタクトシート１８の部分を展開状態でそれぞれ示したものであり、図５に示した実施例は、一方の組の弾性部材２１ａ，２１ｂが前身頃領域の幅方向一端側から開口部２０を挟むように股下領域を通り、後身頃領域の幅方向一端側へと延在し、他方の組の弾性部材２２ａ，２２ｂが前身頃領域の幅方向他端側から開口部２０を挟むように股下領域を通り、後身頃領域の幅方向他端側へと延在している。従って、スキンコンタクトシート１８の幅方向外側に位置する弾性部材２１ｂ，２２ｂは、スキンコンタクトシート１８の幅方向両側縁に沿って配設されるが、スキンコンタクトシート１８の幅方向内側に位置する弾性部材２１ａ，２２ａは、開口部２０を囲むように湾曲し、これら一対の弾性部材２１ａ，２２ａによって開口部２０が囲まれた状態となっている。この場合、弾性部材２１ａ，２２ｂおよび弾性部材２１ｂ，２２ａを開口部２０の側縁部でそれぞれ重なり合うか、または交差するように配置することも可能であるが、図示のように重なり合わないように配置することが好ましい。
【００３４】
その理由は、弾性部材２１ａ，２２ｂおよび弾性部材２１ｂ，２２ａが交差すると、開口部２０周辺の張力が不均一となり、スキンコンタクトシート１８にしわが入り、着用者に違和感を与える可能性があるからである。しかも、弾性部材２１ｂ，２２ｂは、それぞれスキンコンタクトシート１８の幅方向側縁部を着用者に密着させる働きをするため、弾性部材２１ａ，２２ａが交差するとスキンコンタクトシート１８の密着性が悪くなってしまう。
【００３５】
この実施形態においては、着用時にスキンコンタクトシート１８が引っ張られると、その幅方向両側縁部に位置する弾性部材２１ｂ，２２ｂが伸長するため、開口部２０が幅方向両側に引っ張られると同時に弾性部材２１ａ，２２ａの伸長方向にも引っ張られ、先の実施例と同様に、弾性部材２１ａ，２２ａで囲まれた開口部２０の変形がその周囲でほぼ均等に働き、この開口部２０が塞がることなく保持される。
【００３６】
図６に示した実施例は、一方の組の弾性部材２１ａ，２１ｂが前身頃領域の一方の側縁部から開口部２０を挟むように股下領域を通って前身頃領域の他方の側縁部にかけて延在し、他方の組の弾性部材２２ａ，２２ｂが後身頃領域の一方の側縁部から開口部２０を挟むように股下領域を通って後身頃領域の他方の側縁部にかけて延在している。つまり、弾性部材２１ｂ，２２ｂが開口部２０を越えて相互に交差し、これら弾性部材２１ｂ，２２ｂによって開口部２０が囲まれた状態となっている。弾性部材２１ａ，２２ｂおよび弾性部材２１ｂ，２２ａがそれぞれ重なり合うか、または交差するように配置することも可能であるが、図示のように重なり合わないように配置することが好ましい。
【００３７】
その理由は、弾性部材２１ａ，２２ｂおよび弾性部材２１ｂ，２２ａが交差すると、開口部周辺の張力が不均一となってスキンコンタクトシート１８にしわが入り、着用者に違和感を与える可能性があるからである。
【００３８】
本実施形態においても、着用時にスキンコンタクトシート１８が引っ張られた場合、開口部２０を囲む弾性部材２１ｂ，２２ｂが伸長状態に保持され、先の実施例と同様に、弾性部材２１ｂ，２２ｂで囲まれた開口部２０の変形がその周囲でほぼ均等に働き、この開口部２０が塞がることなく保持される。
【００３９】
図７に示した実施例は、図５に示した実施例における切欠部１９をなくし、代わりにスキンコンタクトシート１８の前身頃領域に台形をなす第２の吸収体２５を配置したものであり、その前身頃から後身頃に至る中央断面形状を図９に示す。すなわち、第２の吸収体２５をスキンコンタクトシート１８の前身頃領域に配置した場合には、吸収体１３の厚みを全体的に薄く設定することが可能であり、排尿後でもスキンコンタクトシート１８を乾いた状態に保つことができる。本実施例ではライナーシート１８Ｌの裏側にカバーシート１８Ｃで覆われた第２の吸収体２５を配置したが、アッパーシート１８Ｕとライナーシート１８Ｌとの間に第２の吸収体２５を配置することも可能である。この第２の吸収体２５は、先の吸収体１３と同じ構成のものを採用することも可能であるが、高分子吸収部材とミクロフィブリルセルロースをプロピレングリコールやメタノールと水の混合溶液に分散した塗工液をスキンコンタクトシートに直接塗工するか、あるいはポリエチレン，ポリプロピレン，ポリエステル，その他の熱可塑性樹脂を原料とした合成繊維からなる不織布に塗工して形成したウェブをスキンコンタクトシートに貼り付けたものが好ましい。
【００４０】
なお、上述したミクロフィブリルセルロースは、木材パルプを高シェア下で開繊して得られる平均繊維長０.１mm以下の極微細繊維である。
【００４１】
図８に示した実施例も切欠部１９をなくし、スキンコンタクトシート１８の前身頃領域に菱形をなす第２の吸収体２５を配置したものであるが、図６に示した実施例に対し、さらに弾性部材２１ｃ，２２ｃを追加したものである。追加された一方の組の弾性部材２１ｃは、その屈曲端が他方の組の弾性部材２２ａの屈曲端と対向するように配置され、同様に、追加された他方の組の弾性部材２２ｃは、その屈曲端が一方の組の弾性部材２１ａの屈曲端と対向するように配置されている。開口部２０は、弾性部材２１ａ，２２ｂにより囲まれ、第２の吸収体２５は、弾性部材２１ｂ，２２ａにより囲まれた状態となっている。
【００４２】
弾性部材２１ｂ，２２ａをこのように配置することにより、弾性部材２１ｂ，２２ａに囲まれた第２の吸収体２５を配置した領域がこれら弾性部材２１ｂ，２２ａの収縮力によって凹んだ窪みを形成し、この窪みが尿を第２の吸収体２５で吸収するまでの間の尿溜まりとして機能させることができる。
【００４３】
便と尿とが混ざり合わないように、股下領域における吸収体１３の形状などに図１０〜図１２に示すような工夫を加えることも可能であり、このような本発明のさらに別な実施例を以下に列挙するが、上述した実施例と同一機能の部材にはこれと同一符号を記すに止め、重複する説明は省略するものとする。
【００４４】
すなわち、図１０〜図１２に示した実施例は、何れもおむつ１０の中央部をその前身頃１０Ｆから後身頃１０Ｒに亙って破断した構造をそれぞれ示したものであり、図１０に示した実施例は、開口部２０の直下の股下領域に開口部２０よりも前身頃側に位置する堰部１３Ｄを吸収体１３の肉厚を増大することでその幅方向に亙って形成し、開口部２０からトップシート１１上に導かれた便が前身頃側に移動して尿と混ざったり、逆に前身頃側から尿が股下領域に移動して便と混ざったりしにくくなるように配慮したものである。
【００４５】
また、図１１に示した実施例は、開口部２０と対向する股下領域から後身頃領域にかけての吸収体１３の表面に便の移動を抑制し得る波形部２０Ｓを形成する一方、開口部２０から波形部２０Ｓに導かれた便が前身頃領域へ移動するのを阻止する堰２６を股下領域の幅方向に沿ってトップシート１１により形成し、この堰２６の上端部をスキンコンタクトシート１８に当接するように配置したものである。
【００４６】
図１２に示した実施例は、開口部２０と対向する股下領域から後身頃領域にかけての吸収体１３の厚みを薄くしてポケット部２７を形成し、開口部２０からこのポケット部２７に導かれた便がトップシート１１上で移動しにくくなるように配慮したものである。
【００４７】
【発明の効果】
本発明のおむつによると、トップシートの上に配置されて前身頃から後身頃にかけて延在するスキンコンタクトシートの長手方向両端部のみをトップシートまたはバックシートに接合してその長手方向両端部以外の部分と前記トップシートとの間に空隙を形成し、このスキンコンタクトシートの股下領域の部分に設けられた開口部を囲むように、スキンコンタクトシートに伸長状態で伸縮可能な弾性部材を接合したので、スキンコンタクトシートを着用者に密着させることができる上、開口部が弾性部材の伸長力によって広げられた状態に保持され、排便があった場合には開口部を介して便がスキンコンタクトシートとトップシートとの間の空隙に導かれ、着用者の臀部が汚されず、結果としてスキントラブルの発生を抑制することができる。
【００４８】
また、２本１組の弾性部材を２組、開口部を囲んで交差するようにスキンコンタクトシートにたすき掛け状態で配置した場合や、少なくとも２本の弾性部材をおむつの前身頃の一方の側縁部から開口部を挟むように股下領域を通って前身頃の他方の側縁部にかけて延在させると共に少なくとも２本の弾性部材をおむつの後身頃の一方の側縁部から開口部を挟むように股下領域を通って後身頃の他方の側縁部にかけて延在させた場合には、開口部の周囲にほぼ均一な収縮力が作用するため、これら弾性部材を伸長させた状態では開口部が塞がれることなく、これを確実に開口させることができる。
【００４９】
おむつの前身頃領域となるスキンコンタクトシートの幅方向中央部に切欠部を形成した場合には、尿をトップシートとバックシートとの間に配された吸収体に迅速に吸収させることができる。この場合、スキンコンタクトシートを液不透過性にすることにより、着用者の臀部を乾燥状態に保つことができる。
【００５０】
おむつの前身頃領域となるスキンコンタクトシートの部分に第２の吸収体を配置した場合には、尿をここに迅速に吸収させて便と混ざらないようにすることができる。
【図面の簡単な説明】
【図１】本発明によるおむつの一実施例の外観を表す斜視図である。
【図２】図１に示したおむつの展開図である。
【図３】図２中のIII−III矢視断面図である。
【図４】図１に示した実施例におけるおむつの前身頃から後身頃に至る中央断面図である。
【図５】本発明によるおむつに用いられるスキンコンタクトシートの部分の他の実施例の展開図である。
【図６】本発明によるおむつに用いられるスキンコンタクトシートの部分の別な実施例の展開図である。
【図７】本発明によるおむつに用いられるスキンコンタクトシートの部分のさらに他の実施例の展開図である。
【図８】本発明によるおむつに用いられるスキンコンタクトシートの部分のさらに別な実施例の展開図である。
【図９】図７に対応した実施例におけるおむつの前身頃から後身頃に至る中央断面図である。
【図１０】本発明によるおむつの他の実施例の前身頃から後身頃に至る中央断面図である。
【図１１】本発明によるおむつの別な実施例の前身頃から後身頃に至る中央断面図である。
【図１２】本発明によるおむつのさらに他の実施例の前身頃から後身頃に至る中央断面図である。
【符号の説明】
１０  おむつ
１０Ｆ  前身頃
１０Ｒ  後身頃
１１  トップシート
１２  バックシート
１３  吸収体
１３Ｄ  堰部
１４  ウエスト周り開口部
１５  ウエスト周り弾性部材
１６  脚周り開口部
１７  脚周り弾性部材
１８  スキンコンタクトシート
１８Ｅ  スキンコンタクトシートの長手方向端部
１８Ｕ  アッパーシート
１８Ｌ  ライナーシート
１８Ｃ  カバーシート
１９  切欠部
２０  開口部
２０Ｓ  波形部
２１ａ,２１ｂ,２１ｃ,２２ａ,２２ｂ,２２ｃ  弾性部材
２３  ティシュ
２４  空隙
２５  第２の吸収体
２６  堰
２７  ポケット部
【図１】
0004480859.tif 000002
【図２】
0004480859.tif 000003
【図３】
0004480859.tif 000004
【図４】
0004480859.tif 000005
【図５】
0004480859.tif 000006
【図６】
0004480859.tif 000007
【図７】
0004480859.tif 000008
【図８】
0004480859.tif 000009
【図９】
0004480859.tif 000010
【図１０】
0004480859.tif 000011
【図１１】
0004480859.tif 000012
【図１２】
0004480859.tif 000013